(57)【要約】【課題】ユーザが顔に着用するだけで効率よく交互呼吸が行える呼吸調節装置を提供する。【解決手段】本発明は、ユーザの顔にかけられると共に、ユーザの鼻を加圧して鼻孔を開閉する加圧手段を備える本体と、前記本体に対して加圧手段を駆動するための駆動信号を提供するコントロールボックスと、を含んで構成され、前記本体はイヤーホーン、ユーザの視野を外部環境と遮断させる視野遮断板、香り発生手段およびユーザに映像画面を提供するためのディスプレイ手段を備え、コントロールボックスは本体に対して音声信号および映像情報を提供することを特徴とする。【選択図】図１
2010514492.tif 000002
【特許請求の範囲】
【請求項１】
ユーザの顔にかけられると共に、ユーザの鼻を加圧して鼻孔を開閉する加圧手段を備える本体と、
前記本体に対して加圧手段を駆動するための駆動信号を提供するコントロールボックスと、
を含んで構成されることを特徴とする呼吸調節装置。
【請求項２】
前記本体はイヤーホーンをさらに備え、
前記コントロールボックスは本体に対して音声信号を提供することを特徴とする請求項１に記載の呼吸調節装置。
【請求項３】
前記本体はユーザの視野を外部環境と遮断させる視野遮断板をさらに備えていることを特徴とする請求項１に記載の呼吸調節装置。
【請求項４】
前記本体はユーザに映像画面を提供するためのディスプレイ手段をさらに備え、
コントロールボックスは本体に対して映像情報を提供することを特徴とする請求項１に記載の呼吸調節装置。
【請求項５】
前記本体は香り発生手段をさらに含んで構成されることを特徴とする請求項１に記載の呼吸調節装置。
【請求項６】
ユーザの顔にかけられる本体と、
前記本体と電気的に結合されると共に、本体に対して駆動信号を提供するコントロールボックスを含んで構成され、
前記本体はユーザの鼻の両側面にそれぞれ隣接して設けられ、鼻を側面から加圧して鼻孔を開閉する第１及び第２加圧手段と、
前記第１及び第２加圧手段をそれぞれ駆動する第１及び第２駆動手段と、
本体を顔に据え置くための据置手段と、
を含んで構成されることを特徴とする呼吸調節装置。
【請求項７】
前記本体は音声信号を出力する音声出力手段をさらに含んで構成されることを特徴とする請求項６に記載の呼吸調節装置。
【請求項８】
前記音声出力手段がイヤーホーンであり、本体には前記イヤーホーンを据え置くためのイヤーホーン据置手段がさらに備えられることを特徴とする請求項７に記載の呼吸調節装置。
【請求項９】
前記コントロールボックスは本体に対して音声信号を提供することを特徴とする請求項７に記載の呼吸調節装置。
【請求項１０】
前記本体はユーザの視野を外部環境と遮断させる視野遮断板をさらに備えていることを特徴とする請求項６に記載の呼吸調節装置。
【請求項１１】
前記視野遮断板が本体に着脱自在に結合されることを特徴とする請求項１０に記載の呼吸調節装置。
【請求項１２】
前記本体はユーザに映像画面を提供するためのディスプレイ手段をさらに備え、
コントロールボックスは本体に対して映像情報を提供することを特徴とする請求項６に記載の呼吸調節装置。
【請求項１３】
前記本体は香り発生手段をさらに含んで構成されることを特徴とする請求項６に記載の呼吸調節装置。
【請求項１４】
前記据置手段が本体に対して折り畳み可能なことを特徴とする請求項６に記載の呼吸調節装置。
【請求項１５】
前記コントロールボックスを収納するための収納ケースをさらに備え、
前記収納ケースはベルト固定用クリップと、収納ケースの背面に折り畳み可能になると共に、収納ケースを垂直方向に据え置きするための支持台を備えていることを特徴とする請求項６に記載の呼吸調節装置。
【請求項１６】
前記コントロールボックスはメモリカードを挿入するためのメモリカードホールダをさらに備えていることを特徴とする請求項６に記載の呼吸調節装置。
【請求項１７】
外部駆動信号を印加されてユーザの呼吸を調節する装置において、
ユーザの顔にかけられる本体と、
ユーザの鼻の両側面にそれぞれ隣接して設けられて、鼻を側面から加圧して鼻孔を開閉する第１及び第２加圧手段と、
外部駆動信号に基づき前記第１及び第２加圧手段を駆動する駆動手段と、
本体を顔にかけるための据置手段と、を含んで構成されることを特徴とする呼吸調節装置。
【請求項１８】
ユーザの顔にかけられる本体と、
ユーザの鼻の両側面にそれぞれ隣接して設けられて、鼻を側面から加圧して鼻孔を開閉する第１及び第２加圧手段と、
前記第１及び第２加圧手段を駆動する駆動手段と、
前記駆動手段を駆動制御する制御手段と、
本体を顔にかけるための据置手段と、を含んで構成されることを特徴とする呼吸調節装置。
【請求項１９】
音声信号を出力するための音声信号出力手段をさらに含んで構成されることを特徴とする請求項１８に記載の呼吸調節装置。
【発明の詳細な説明】
【技術分野】
【０００１】
本発明は呼吸調節装置に係り、より詳しくは、ユーザの鼻に物理的に働いて鼻孔を通じて行われるユーザの呼吸を適宜に調節及び矯正することによってユーザの心身の安定を図り、さらにはユーザの健康増進を目指す呼吸調節装置に関する。
【背景技術】
【０００２】
昔から韓国、中国、印度などを含む東洋においては人間の呼吸方式がその人の心や体の健康に大きな影響を与えると認識されてきている。従って、各種の宗教や武芸分野の心身修練の方法において呼吸法が大きな比重を占めている。
【０００３】
現在、呼吸方法としては腹式呼吸、胸部呼吸、丹田呼吸、交互呼吸などが幅広く知られている。ここで、交互呼吸とは一般的にヨーガ修行者らが行う呼吸法の一種であって、２つの鼻孔のうちいずれか一つを交互に選択して呼吸を行う方法を言う。交互呼吸は片鼻ずつ呼吸をすることから、吐き息と吸う息の空気の流れが迅速になって鼻から気管支と肺に至るまで呼吸器官がきれいになり、不眠症、高血圧、憂鬱症及び不安症などの神経疾患に効果があり、交感神経と副交感神経、さらには心身の全機能が釣合いを保って体質的な不均衡がもとで引き起こされる慢性疾患によく効くとされている。従って、交互呼吸は心身修行者の呼吸法として、単独または腹式呼吸や丹田呼吸と併用されている。
【０００４】
通常、心身修行者が交互呼吸を行う場合は鼻腔の前部である鼻前庭(nosal vestibule)を指を用いて選択的に開閉する方式を採用している。しかし、このように指を用いる方法は修行者個人の意識活動に基づくので、心身修行の集中力を妨げることは勿論、不正確な交互呼吸となる恐れがある。正しくない呼吸方法はかえって頭痛を引き起こしたり、心身の安定を阻害する場合があると報告されている。
【発明の概要】
【発明が解決しようとする課題】
【０００５】
本発明はユーザが顔に着用するだけで効率よく交互呼吸が行える呼吸調節装置の提供を目的とする。
【課題を解決するための手段】
【０００６】
前記目的を達成するために本発明は、ユーザの顔にかけられると共に、ユーザの鼻を加圧して鼻孔を開閉する加圧手段を備える本体と、前記本体に対して加圧手段を駆動するための駆動信号を提供するコントロールボックスと、を含んで構成されることを特徴とする。
【０００７】
前記本体はイヤーホーンをさらに備え、前記コントロールボックスは本体に対して音声信号を提供することを特徴とする。
【０００８】
前記本体はユーザの視野を外部環境と遮断させる視野遮断板をさらに備えていることを特徴とする。
【０００９】
前記本体はユーザに映像画面を提供するためのディスプレイ手段をさらに備え、コントロールボックスは本体に対して映像情報を提供することを特徴とする。
【００１０】
前記本体は香り発生手段をさらに含んで構成されることを特徴とする。
【００１１】
また、本発明は、ユーザの顔にかけられる本体と、前記本体と電気的に結合されると共に、本体に対して駆動信号を提供するコントロールボックスを含んで構成され、前記本体はユーザの鼻の両側面にそれぞれ隣接して設けられ、鼻を側面から加圧して鼻孔を開閉する第１及び第２加圧手段と、前記第１及び第２加圧手段をそれぞれ駆動する第１及び第２駆動手段と、本体を顔に据え置くための据置手段と、を含んで構成されることを特徴とする。
【００１２】
前記本体は音声信号を出力する音声出力手段をさらに含んで構成されることを特徴とする。
【００１３】
前記音声出力手段がイヤーホーンであり、本体には前記イヤーホーンを据え置くためのイヤーホーン据置手段がさらに備えられることを特徴とする。
【００１４】
前記コントロールボックスは本体に対して音声信号を提供することを特徴とする。
【００１５】
前記本体はユーザの視野を外部環境と遮断させる視野遮断板をさらに備えていることを特徴とする請求項６に記載の呼吸調節装置。
【００１６】
前記視野遮断板が本体に着脱自在に結合されることを特徴とする。
【００１７】
前記据置手段が本体に対して折り畳み可能なことを特徴とする。
【００１８】
前記コントロールボックスを収納するための収納ケースをさらに備え、前記収納ケースはベルト固定用クリップと、収納ケースの背面に折り畳み可能になると共に、収納ケースを垂直方向に据え置きするための支持台を備えていることを特徴とする。
【００１９】
前記コントロールボックスはメモリカードを挿入するためのメモリカードホールダをさらに備えていることを特徴とする。
【００２０】
また、本発明は、外部駆動信号を印加されてユーザの呼吸を調節する装置において、ユーザの顔にかけられる本体と、ユーザの鼻の両側面にそれぞれ隣接して設けられて、鼻を側面から加圧して鼻孔を開閉する第１及び第２加圧手段と、外部駆動信号に基づき前記第１及び第２加圧手段を駆動する駆動手段と、本体を顔にかけるための据置手段と、を含んで構成されることを特徴とする。
【００２１】
また、本発明は、ユーザの顔にかけられる本体と、ユーザの鼻の両側面にそれぞれ隣接して設けられて、鼻を側面から加圧して鼻孔を開閉する第１及び第２加圧手段と、前記第１及び第２加圧手段を駆動する駆動手段と、前記駆動手段を駆動制御する制御手段と、本体を顔にかけるための据置手段と、を含んで構成されることを特徴とする。
【発明の効果】
【００２２】
本発明に係る呼吸調節装置はこれをユーザが顔に着用するだけで便利かつ効率よく交互呼吸を行うことができる。また、正確な時間間隔でユーザの鼻孔を開閉させることによって、交互呼吸を経験したことのないユーザにとっても別に学ばなくても安全に交互呼吸が実行できる。
【図面の簡単な説明】
【００２３】
【図１】本発明の一の実施の形態のよる呼吸調節装置の全体的な構成を示した斜視図である。
【図２】本体１から視野遮断板１３と結束具１５及びイヤーホーン据置台１６を分離して示した本体１の分離斜視図である。
【図３】本体１の要部分離斜視図である。
【図４】本体１の投影図である。
【図５】図１においてコントロールボックス２の外観形状を示した斜視図である。
【図６】図５における収納ケース２の分解斜視図である。
【図７】コントロールボックス２の据え置き状態を示した側面図である。
【図８】コントロールボックス２の内部回路の構成を示したブロック構成図である。
【発明を実施するための形態】
【００２４】
以下、図面に基づき本発明に係る実施の形態を詳述する。但し、後述する実施の形態は本発明の一の望ましい具現例を示したもので、この例示は本発明の権利範囲を制限するためのものではない。本発明はその技術的思想を逸脱しない範囲内で多様に変形して実施することができる。
図１は本発明に係る呼吸調節装置の外観形状を示す斜視図である。
本発明に係る呼吸調節装置はユーザの顔にかけられる本体１と、コントロールボックス２とを備えて構成される。本体１とコントロールボックス２はワイヤー３を介して電気的に結合される。
本体１はこれをユーザの鼻に据え置けるように中央部が鼻の形状に合せて上側に湾曲された据置部１０を備える。そして、据置部１０の両傾斜面の下側にはユーザの鼻を両側からそれぞれ加圧するための加圧突起１１（１１ａ、１１ｂ）が備えられる。
【００２５】
また、本体１の両端にはそれぞれ羽根１２が折り畳み可能なようにヒンジ結合される。羽根１２は本体１をユーザの顔に安定的に据え置くためのものである。羽根１２は望ましくは柔軟性のある材料で構成される。勿論、羽根１２の形状は本体１をユーザの顔に安定的にかけることができればどのような形態のものでも良い。例えば、メガネのように羽根１２をユーザの耳に掛けることのできる形態で構成することも可能である。
本体１の上側には視野遮断板１３が着脱自在に結合され、羽根１２には固定帯１４の結合のための結束具１５とイヤーホーン据置台１６が着脱自在に結合される。
【００２６】
図２は本体１から視野遮断板１３と結束具１５及びイヤーホーン据置台１６を分離して示した分離斜視図である。
本体１の上面には全体として視野遮断板１３が挿入される装着溝１１１が形成される。特に、本体１の上面の先端部は上側に曲がりながら他の部分に比べて外側に突出して、本体１に視野遮断板１３を締結した場合に視野遮断板１３の上側が安定的に支持できるように構成される。
視野遮断板１３は本体１の装着溝１１１に着脱自在に結合される。視野遮断板１３はユーザが本装置を用いて交互呼吸を行う場合にユーザの視野を外部環境と遮断させることによってユーザの心身の安定を図り、ユーザが呼吸に集中できるようにするためのものである。望ましくは、視野遮断板１３は柔軟性のある材質で構成され、必要に応じて多数のピンホール１３１を備える。
【００２７】
羽根１２の終端には必要に応じて固定帯締結具１５が選択的に結合される。この固定帯締結具１５は本体１をユーザの顔に一層安定的に据え置くための固定帯１４を本体１に結合するためのものである。
固定帯締結具１５には上下側に羽根１２との結合のための一対のガイドリブ１５１が備えられ、後側には固定帯１４を結合するための結合ピン１５２が備えられる。ガイドリブ１５１の内側先端部には係止爪１５３が設けられると共に、締結具１５の中央部分には係止ピン１５４が設けられる。そして、これに対応して羽根１２の上下側面には係止爪１５３が挿入される第１結合溝１２１が設けられると共に、両側面には締結具１５の係止ピン１５４が挿入される第２結合溝１２２が設けられる。
【００２８】
また、羽根１２の一定部位にはイヤーホーン据置台１６が着脱自在に結合される装着部１２３が具備される。イヤーホーン据置台１６は一側面に羽根１２との結合のための一対のガイドリブ１６１が具備されると共に、他側面にはイヤーホーン１４を収納するためのイヤーホーン収納ホール１６２が具備される。.
前記固定帯締結具１５とイヤーホーン据置台１６は、例えば伸縮性のある材質で構成され、ユーザが一定以上の外力を加えることによって、これらを羽根１２に着脱できるように構成される。
また、図面に具体的に示していないが、本体１の両側下部には本体１の内側にワイヤー３を引き込み、本体１の内側からイヤーホーン連結線１４１を引き出すための貫通孔が形成される。
【００２９】
図３は図１における本体１の要部分離斜視図であり、図４はその投影図である。
本体１は前面板１７Ａと背面板１７Ｂが結合されて構成される。この際、背面板１７Ｂは望ましくはユーザの顔面との接触を考慮してシリコンなどの軟性材質で構成される。また、背面板１７Ｂの裏面、すなわち背面板１７Ｂにおいてユーザの顔面と接する部分に軟性材質よりなる別の緩衝部材が取り付けられる。
前面板１７Ａと背面板１７Ｂにおいて、本体１を鼻に据え置いた場合に鼻の側面に対応する位置、すなわち据置部１０の傾斜面の下側には加圧突起１１のための貫通孔１７１が形成される。この貫通孔１７１はモータ１８（１８ａ、１８ｂ）を収納するためのホールダ１７２と連通される。また、モータホールダ１７の一側にはモータ１８と後述する配線基板１９とを電気的に結合するための貫通ホール１７２ａが備えられる。
【００３０】
モータ１８は駆動電源または駆動信号に応じて駆動シャフトが往復動するように構成されたステップモータである。モータ１８の駆動シャフトの端部には加圧突起１１が固着される。
前面板１７Ａと背面板１７Ｂのいずれか一方には配線基板１９が設けられる。該配線基板１９にはワイヤー３とイヤーホーン連結線１４１及びモータ１８が電気的に結合され、配線基板１９上にはワイヤー３を介して印加されるモータ駆動信号をモータ１８に印加し、ワイヤー３を介して印加される音声信号をイヤーホーン１４に印加するための配線が設けられる。ここで、配線基板１９を省略し、ワイヤー３をモータ１８とイヤーホーン１４に直接にあるいは別の配線を通じて結合することも可能である。
【００３１】
一方、図１において、コントロールボックス２は本体１を作動させ、本体１のイヤーホーン１４に瞑想音楽などの音声信号を提供する。また、コントロールボックス２は本体１の作動状態や呼吸方法などの情報を音声信号として提供することもできる。コントロールボックス２から出力される本体１の作動信号及び音声信号はワイヤー３を介して本体１のモータ１８及びイヤーホーン１４に提供される。
【００３２】
図５は図１におけるコントロールボックス２を抜粋して示した斜視図であり、図６は収納ケース４の分解斜視図である。また、図７はコントロールボックス２の据え置き状態を示した側面図である。
コントロールボックス２は前面に表示部２１と多数の操作キー２２１~２２６が備えられる。表示部２１としては、例えばＬＣＤ(Liquid Crystal Display)が用いられる。また、前記操作キーには電源をオン/オフするための電源キー２２１ と、瞑想音楽選択キー２２２、呼吸方法選択キー２２３、動作時間及び分当たり呼吸回数選択キー２２４、サブメニュー選択キー２２５及びヘルプキー２２６が含まれる。ユーザは選択キー２２２~２２６を操作して本体１を所望の動作状態に設定することができる。例えば、ユーザが瞑想音楽選択キー２２２を選択すると、表示部２１にユーザが利用できる瞑想音楽の種類がディスプレイされ、この状態でサブメニュー選択キー２２５で所望の項目を選択した後該当キーの中央部分を押えると、ユーザが選択した瞑想音楽がコントロールボックス２から本体１のイヤーホーン１４へ送出される。
【００３３】
また、図７に示したように、コントロールボックス２の左側面には、例えばイヤーホーン１４に出力される音声信号のレベルを調節するための音量調節キー２２７とディスプレイ画面をオン/オフするための画面オン/オフキー２２８が備えられ、図６に示したように、コントロールボックス２の右側面にはメモリカード２３０を挿入するためのメモリカードホールダ２２７が備えられる。また、コントロールボックス２の上側にはワイヤージャッキ３１を結合するためのジャッキホールダ２２９が備えられ、図面に具体的に示していないが、コントロールボックス２の背面にはバッテリを収納するためのバッテリ収納部が具備される。
【００３４】
一方、コントロールボックス２は収納ケース４にスライド方式で着脱自在に結合される。収納ケース４は両側にガイドリブ４１が備えられる。収納ケース４の背面にはこれをズボンのベルトなどに締結するためのクリップが備えられ、このクリップの両端には折り畳み可能な支持台４３が締結される。この支持台４３は、図７に示したように収納ケース４をテーブルなどの上側に立てて置くためのものである。
【００３５】
図８はコントロールボックス２の回路構成を概略的に示したブロック構成図である。コントロールボックス２は前述した表示部２１と共に、各種キーが設けられるキーパッド２２、制御動作のための各種データが保存されるメモリ２３、装置全体を制御するプロセッサ２４、プロセッサ２４からの制御データに基づき本体１のモータ１８の駆動のための駆動信号を出力するモータ駆動部２５、プロセッサ２４から印加されるデジタル音声データをアナログ音声信号に変換して出力する音声コデック２６、及びメモリカード２３０とのインターフェースのためのメモリカードインターフェース部２７とを備えて構成される。  これら回路部はバッテリ電源（図示せず）で動作する。
【００３６】
前述した構成において、メモリカード２３０の使用のための構成は必要に応じて選択的に使用でき、メモリ２３もプロセッサ２４の内部メモリが用いられる。そして、データダウンロードのために外部装置とのコネクタがさらに提供される。すなわち、コントロールボックス２の回路部は特定なものに限定されず、必要に応じて一部構成が省略されたり、追加される場合もある。
プロセッサ２４はユーザが電源キー２２１を選択すれば、装置全体を動作状態に設定するようになる。そして、ユーザが瞑想音楽選択キー２２２、呼吸方法選択キー２２３、動作時間及び分当たり呼吸回数選択キー２２４及びサブメニュー選択キー２２５を用いて動作モードを設定すれば、これに基づきモータ駆動部２５を通じてモータ駆動信号を出力して、本体１のモータ１８を駆動制御すると同時に、音声コデック２６を通じて瞑想音楽などの音声信号を本体１のイヤーホーン１４に出力する。
【００３７】
前記装置において、ユーザが選択可能な動作モードとしては、例えば腹式呼吸、交互呼吸、陰気呼吸、陽気呼吸などがある。
１．腹式呼吸モード
腹式呼吸モードでは、プロセッサ２３は本体１に備えられるモータ１８ａ、１８ｂを同時に駆動して、まず２つの加圧突起１１ａ、１１ｂを同時に本体１の外側に移動させ、一定時間後にこれらを再び本体１の内側に同時に移動させる反復動作を行う。この際、加圧突起１１ａ、１１ｂを往復動させる時間間隔はユーザが動作時間及び分当たり呼吸回数選択キー２２４とサブメニュー選択キー２２５を通じて設定した分当たり呼吸回数に基づき行う。
【００３８】
また、プロセッサ２４はモータ１８ａ、１８ｂの駆動と共に、ユーザが選択した瞑想音楽を音声コデック２６を通じて本体１のイヤーホーン１４に提供する。勿論、この場合呼吸動作と関連してユーザに案内すべき案内音声があれば、これを瞑想音楽と共にイヤーホーン１４に提供する。
前述した動作はユーザが動作時間及び分当たり呼吸回数選択キー２２４とサブメニュー選択キー２２５を通じて設定した動作時間の間行われる。
【００３９】
２．交互呼吸モード
交互呼吸モードでは、プロセッサ２４は本体１に備えられるモータ１８ａ、１８ｂを交番的に駆動する。例えば、プロセッサ２４は、まず加圧突起１１ａを本体１の外側に移動させると共に、加圧突起１１ｂは本体１の内側に移動させ、再び一定時間後に加圧突起１１ａを本体１の内側に移動させると共に、加圧突起１１ｂは本体１の外側に移動させる交番動作を繰り返して行う。
この場合も加圧突起１１ａ、１１ｂを交互に往復動させる時間間隔はユーザが動作時間及び分当たり呼吸回数選択キー２２４とサブメニュー選択キー２２５を通じて設定した分当たり呼吸回数に基づいて行う。
【００４０】
また、プロセッサ２４はモータ１８ａ、１８ｂの駆動と共に、ユーザが選択した瞑想音楽と案内音声を音声コデック２６を通じて本体１のイヤーホーン１４に提供する。
前述した動作はユーザが動作時間及び分当たり呼吸回数選択キー２２４とサブメニュー選択キー２２５を通じて設定した動作時間の間行われる。
【００４１】
３．陰気呼吸モード
陰気呼吸モードにおいては、プロセッサ２４はユーザの右鼻孔に対応する加圧突起１１ａを外側に移動された状態に固定させ、ユーザの左側鼻孔に対応する加圧突起１１ｂを一定時間間隔で往復動させる。
このため、プロセッサ２４は、まず加圧突起１１ａに対応するモータ１８ａを駆動して加圧突起１１ａを外側に移動させる。そして、プロセッサ２４はモータ１８ｂを駆動して加圧突起１１ｂを外側に移動させ、再び一定時間後に加圧突起１１ｂを本体１の内側に移動させる往復動作を繰り返して行う。
この場合も加圧突起１１ｂを往復動させる時間間隔はユーザが動作時間及び分当たり呼吸回数選択キー２２４とサブメニュー選択キー２２５を通じて設定した分当たり呼吸回数に基づいて行う。
また、プロセッサ２４はモータ１８ｂの駆動と共に、ユーザが選択した瞑想音楽と案内音声を音声コデック２６を通じて本体１のイヤーホーン１４に提供する。
前述した動作はユーザが動作時間及び分当たり呼吸回数選択キー２２４とサブメニュー選択キー２２５を通じて設定した動作時間の間行われる。
【００４２】
４．陽気呼吸モード
陽気呼吸モードにおいては、プロセッサ２４はユーザの左鼻孔に対応する加圧突起１１ｂを外側に移動されたまま固定させ、ユーザの右鼻孔に対応する加圧突起１１ａを一定時間間隔で往復動させる。
このため、プロセッサ２４は、まず加圧突起１１ｂに対応するモータ１８ｂを駆動して加圧突起１１ｂを外側に移動させる。そして、プロセッサ２４はモータ１８ａを駆動して加圧突起１１ａを本体１の外側に移動させ、再び一定時間後に加圧突起１１ａを本体１の内側に移動させる往復動作を繰り返して行う。
この場合も加圧突起１１ａを往復動させる時間間隔はユーザが動作時間及び分当たり呼吸回数選択キー２２４とサブメニュー選択キー２２５を通じて設定した分当たり呼吸回数に基づいて行う。
また、プロセッサ２４はモータ１８ａの駆動と共に、ユーザが選択した瞑想音楽と案内音声を音声コデック２６を通じて本体１のイヤーホーン１４に提供する。
【００４３】
前述した動作は、ユーザが動作時間及び分当たり呼吸回数選択キー２２４とサブメニュー選択キー２２５を通じて設定した動作時間の間行われる。
前述した動作において、加圧突起１１が本体１の外側に移動されると、加圧突起１１が鼻の外側を押えて、それに対応する鼻孔が狭くなることによって該当鼻孔を通じて行われる吐く息と吸う息が遮断され、加圧突起１１が本体１の内側に移動されれば、鼻の外側の押えていた加圧突起１１による外力が遮断されて鼻孔が再び正常状態に復帰することによって、該当鼻孔を通じて吐く息と吸う息が自由に往来できるようになる。
【００４４】
従って、前述した装置を用いると、交互呼吸を行う修行者が自分の指を用いなくても楽に交互呼吸を修行できるようになるので、心身の修行に集中することができる。
また、前述した装置においては、プロセッサ２４が予め設定した正確な時間間隔で加圧突起１１を駆動するようになるので、修行経歴に富む修行者は勿論、交互呼吸を学んでいない初心者も安全に交互呼吸を修行できるようになる。
前述した装置においては、加圧突起１１の駆動と共に、瞑想音楽を修行者に提供するので、修行者の修行成就度を一層アップすることができる。
【００４５】
以上、本発明に係る実施の形態を説明してきた。しかし、本発明は前述した実施形態に限定されず、本発明の技術的思想を逸脱しない範囲内で多様に変形して実施することができる。
前述した実施例においては、加圧突起１１を駆動する駆動手段としてモータ１８を用いることと説明したが、その駆動手段としては電磁石や油圧または空圧アクチュエータを用いることも可能である。
また、前述した実施の形態において、視野遮断板１３の代わりにディスプレイ手段を採用し、コントロールボックス２において本体１に対して瞑想や催眠などのための映像情報を提供するように構成することも可能である。
【００４６】
また、瞑想に役に立つアロマなどの香を提供するための手段を本体１の内側に備えて、交互呼吸時にユーザに香を提供することも可能である。
前述した実施例においては、ユーザに瞑想音楽や呼吸案内音声を提供するための手段としてイヤーホーンを用いることと説明したが、イヤーホーンの代わりに本体１に音声信号を出力するためのスピーカを設けることもできる。また、この場合、音声信号を出力するためのスピーカを本体１の代わりにコントロールボックス２に設けることもできる。
【００４７】
本発明は本体１に別の操作キーを備えて、ユーザがこの操作キーの操作を通じて本体１の動作を選択するように構成することも可能である。
また、前記実施形態においては、本体１とコントロールボックス２を別の装置として具現した場合を例として説明したが、本発明は本体１とコントロールボックス２を一体に構成したり、本体１の内側にモータ１８の駆動を制御するための制御手段を備えて、顔にかけられる本体だけで呼吸調節装置を構成することも可能である。
【産業上の利用可能性】
【００４８】
本発明は交互呼吸を行う修行者が自分の指を用いなくても楽に交互呼吸を修行できることから、心身の修行に集中できる呼吸調節装置に適用可能である。
【符号の説明】
【００４９】
１  本体
２  コントロールボックス
３  ワイヤー
１０  据置部
１１、１１ａ、１１ｂ  加圧突起
１２  羽根
１３  視野遮断板
１４  固定帯
１５  結束具、固定帯締結具
１６  イヤーホーン据置台
１７  モータホールダ
１７Ａ  前面板
１７Ｂ  背面板
１８、１８ａ、１８ｂ  モータ
１９  配線基板
２１  表示部
１１１  装着溝
１２１  第１結合溝
１２２  第２結合溝
１２３  装着部
１３１  ピンホール
１４１  イヤーホーン連結線、連結線
１５１、１６１  ガイドリブ
１５２  結合ピン１５２
１５３  係止爪
１５４  係止ピン
１６２  イヤーホーン収納ホール
１７１  貫通孔
１７２  ホールダ
１７２ａ  貫通ホール
２２１  電源キー
２２２  瞑想音楽選択キー
２２３  呼吸方法選択キー
２２４  動作時間及び分当たり呼吸回数選択キー
２２５  サブメニュー選択キー
２２６  ヘルプキー
【図１】
2010514492.tif 000003
【図２】
2010514492.tif 000004
【図３】
2010514492.tif 000005
【図４】
2010514492.tif 000006
【図５】
2010514492.tif 000007
【図６】
2010514492.tif 000008
【図７】
2010514492.tif 000009
【図８】
2010514492.tif 000010
【国際調査報告】
2010514492.tif 000011
2010514492.tif 000012